(57)【特許請求の範囲】
【請求項１】
搬送ローダーを上下及び左右に移動させるスタッカークレーンと、該スタッカークレーンの前後に設けられた試験棚とを有し、前記スタッカークレーンによって、前記搬送ローダーにパレットを介して載った電池を、前後に設けられた前記試験棚に載せる電池充放電設備であって、
１）前記各試験棚に火災検知センサーを配置し、２）前記スタッカークレーンにガス噴射式の一次消火器を設け、３）前記試験棚の一つに水没槽を設け、前記火災検知センサーによって前記電池の火災を検知した場合は、前記一次消火器で消火を行い、該一次消火器を使って消火を行っても前記電池の火災が鎮火しない場合には、前記スタッカークレーンを用いて前記火災が発生した電池を前記水没槽まで搬送して該水没槽に入れて二次消火を行うことを特徴とする消火装置の付設した電池充放電設備。
【請求項２】
請求項１記載の消火装置の付設した電池充放電設備において、前記一次消火器のガス供給源は、前記スタッカークレーンの櫓に取付けられ、前記搬送ローダーにガスの噴出口が設けられ、該噴出口と前記ガス供給源はホースによって連結されていることを特徴とする消火装置の付設した電池充放電設備。
【請求項３】
請求項１又は２記載の消火装置の付設した電池充放電設備において、前記火災検知センサーは、温度センサー及び煙センサーのいずれか１又は２によって形成されていることを特徴とする消火装置の付設した電池充放電設備。
【請求項４】
搬送ローダーを上下及び左右に移動させるスタッカークレーンと、該スタッカークレーンの前後に設けられた試験棚とを有し、前記スタッカークレーンによって、前記搬送ローダーに載った電池を、前後に設けられた前記試験棚に載せる電池充放電設備の消火方法であって、
１）前記各試験棚に火災検知センサーを配置し、２）前記スタッカークレーンにガス噴射式の一次消火器を設け、３）前記試験棚の一つに水没槽を設け、前記火災検知センサーによって前記電池の火災を検知した場合は、前記一次消火器で消火を行い、この一次消火を行っても前記電池の火災が鎮火しない場合には、前記スタッカークレーンを用いて前記火災が発生した電池を前記水没槽まで搬送して二次消火を行うことを特徴とする電池充放電設備の消火方法。
【発明の詳細な説明】
【技術分野】
【０００１】
本発明は、二次電池を充放電する場合に発生する火災を消火する装置を備えた消火装置の付設した電池充放電設備及び電池充放電設備の消火方法に関する。
【背景技術】
【０００２】
例えば、特許文献１には、電池を充放電する治具等をチャンバー空間に配置し、火災が発生した場合には、チャンバー空間に外部から導入した消火剤を噴射させる長尺パイプを配置することが記載されている。
【先行技術文献】
【特許文献】
【０００３】
【特許文献１】特開２００３−１９０３１２号公報
【発明の概要】
【発明が解決しようとする課題】
【０００４】
しかしながら、特許文献１記載の技術は、チャンバー空間内に電池充放電用の治具を配置した場合であって、チャンバー空間内だけの消火を行えばよいので、比較的簡単であるが、通常の電池の充放電は、複数の電池が開放された空間に配置された状態で行われている。そして、電池の充放電中に火災が起こった場合には、消火剤を吹き付けて消火を行っているが、これでは、充放電中の電池が使用不可能となるという問題がある。
【０００５】
本発明は、かかる事情に鑑みてなされたもので、充放電中の電池に火災が生じた場合でも、消火に伴う被害を最小限に抑えて、効率的に電池の消火を行う消火装置の付設した電池充放電設備及び電池充放電設備の消火方法を提供することを目的とする。
【課題を解決するための手段】
【０００６】
前記目的に沿う第１の発明に係る消火装置の付設した電池充放電設備は、搬送ローダーを上下及び左右に移動させるスタッカークレーンと、該スタッカークレーンの前後に設けられた試験棚とを有し、前記スタッカークレーンによって、前記搬送ローダーにパレットを介して載った電池を、前後に設けられた前記試験棚に載せる電池充放電設備であって、
１）前記各試験棚に火災検知センサーを配置し、２）前記スタッカークレーンにガス噴射式の一次消火器を設け、３）前記試験棚の一つに水没槽を設け、前記火災検知センサーによって前記電池の火災を検知した場合は、前記一次消火器で消火を行い、該一次消火器を使って消火を行っても前記電池の火災が鎮火しない場合には、前記スタッカークレーンを用いて前記火災が発生した電池を前記水没槽まで搬送して該水没槽に入れて二次消火を行っている。
【０００７】
ここで、第１の発明に係る消火装置の付設した電池充放電設備において、前記一次消火器のガス供給源は、前記スタッカークレーンの櫓に取付けられ、前記搬送ローダーにガスの噴出口が設けられ、該噴出口と前記ガス供給源はホースによって連結されているのが好ましい。
【０００８】
また、第１の発明に係る消火装置の付設した電池充放電設備において、前記火災検知センサーは、温度センサー及び煙センサーのいずれか１又は２によって形成されているのが好ましい。
【０００９】
そして、第２の発明に係る消火装置の付設した電池充放電設備の消火方法は、搬送ローダーを上下及び左右に移動させるスタッカークレーンと、該スタッカークレーンの前後に設けられた試験棚とを有し、前記スタッカークレーンによって、前記搬送ローダーに載った電池を、前後に設けられた前記試験棚に載せる電池充放電設備の消火方法であって、
１）前記各試験棚に火災検知センサーを配置し、２）前記スタッカークレーンにガス噴射式の一次消火器を設け、３）前記試験棚の一つに水没槽を設け、前記火災検知センサーによって前記電池の火災を検知した場合は、前記一次消火器で消火を行い、この一次消火を行っても前記電池の火災が鎮火しない場合には、前記スタッカークレーンを用いて前記火災が発生した電池を前記水没槽まで搬送して二次消火を行う。
【発明の効果】
【００１０】
本発明に係る電池充電設備及びその消火方法において、一次消火にガス噴射式の一次消火器を使用しているので、一次消火で火災が鎮火した場合には、充放電装置及び電池の被害は最小で済む。そして、一次消火で鎮火しない場合は、スタッカークレーンによって火災が発生した電池を水没槽に搬送し鎮火するので、確実な鎮火が可能となる。
【図面の簡単な説明】
【００１１】
【図１】（Ａ）は本発明の一実施の形態に係る消火装置の付設した電池充放電設備の平面図、（Ｂ）は同正面図である。
【図２】同電池充放電設備で火災が発生した場合の消火方法を示すフロー図である。
【発明を実施するための形態】
【００１２】
続いて、添付した図面を参照しながら、本発明を具体化した実施の形態について説明する。
図１（Ａ）、（Ｂ）に示すように、本発明の一実施の形態に係る消火装置の付設した電池充放電設備１０は、上下のレール１１、１２に沿って左右に走行するスタッカークレーン１３と、スタッカークレーン１３の前後に立体倉庫と同様な構造となって配置される試験棚群１４、１５を有している。試験棚群１４、１５はそれぞれ上下左右に複数の試験棚１６を有している。
【００１３】
スタッカークレーン１３は搬送ローダー１７を備え、搬送ローダー１７を上下及び左右に移動させて、パレット（載置台）１８に載った電池（通常、複数）１９を各試験棚１６に搬送し、各試験棚１６には電池１９に充電及び放電を行う試験装置を備えて、各電池１９に必要な試験を行うことができるようになっている。
また、各試験棚１６には、火災検知センサーの一例である熱電対（温度センサー）２１と煙センサー２２が設けられている。
【００１４】
スタッカークレーン１３の櫓の下部（又は中間部）には、ガス（窒素又は炭酸ガス）によって火災の消火を行うガス噴射式の一次消火器のガス供給源（例えば、ボンベ）２３、２４が設けられ、搬送ローダー１７の前後にはそれぞれガスの噴出ノズル（噴出口）２５、２６を有している。ガス供給源２３、２４と噴出ノズル２５、２６とはそれぞれ図示しない電磁弁とホース２７、２８を介して連結され、それぞれの電磁弁を開くことによって、ガス供給源２３、２４からの消火ガスが、噴出ノズル２５、２６から、所定の試験棚１６に向かって吹き出すようになっている。
【００１５】
ここで、ガス供給源２３、２４と噴出ノズル２５、２６、電磁弁とホース２７、２８を有して一次消火器が構成されている。即ち、一次消火器はスタッカークレーン１３に設けられている。また、ホース２７、２８はホース２７、２８が縺れたり無用に湾曲しないように、ケーブルベア（登録商標）を用いて、配管されている。一方、試験棚群１４、１５のうち１つの試験棚１６には水没槽３０が配置され、搬送ローダー１７によって運ばれた電池１９を、スタッカークレーン１３を使って水没槽３０迄搬送し、必要な場合、電池１９をこの水没槽３０に投入することができる構造となっている。この水没槽３０には消火用の水が充満されている。
【００１６】
熱電対２１と煙センサー２２の信号は図示しない制御装置に入力され、この制御装置からの信号が噴出ノズル２５、２６から消火ガスを発生させる電磁弁を必要な場合作動させるようになっている。また、この制御装置はスタッカークレーン１３の制御装置と連携し、必要な場合、スタッカークレーン１３を用いて、所定の試験棚１６にある電池１９を取り出して水没槽３０まで搬送できる構造となっている。
【００１７】
続いて、図２を参照しながら、本発明の一実施の形態に係る消火装置の付設した電池充放電設備１０の作用、即ち、電池充電設備の消火方法について説明する。
熱電対２１又は煙センサー２２で電池１９に異常が発生（例えば、温度上昇、発煙等）したことを検知する（ステップＳ１）と、一次消火器（即ち、自動消火ユニット）が作動し、電池１９に炭酸ガス又は窒素ガスを吹き付ける（ステップＳ２）。具体的には、熱電対２１又は煙センサー２２で特定の試験棚１６の電池１９の異常を検知すると、その場所に搬送ローダー１７が移動し、搬送ローダー１７に設けられている噴出ノズル２５、２６のいずれか一方から消火ガスを対象となる電池１９に向かって噴射する。
【００１８】
なお、ここで、搬送ローダー１７にビデオカメラ（Ｗｅｂカメラ）を設け、異常が発生した電池１９を外部から視認できるようにしてもよい。また、ビデオカメラは各試験棚１６にそれぞれ配置することもできる。この一次消火によって電池１９の火災が鎮火した場合には、電池１９は損傷を受けないことになるので、そのまま（又は一部を）使用できる（ステップＳ３）。
【００１９】
一方、ステップＳ２で一次消火を行っても、熱電対２１による温度が下がらない場合、煙センサー２２による煙の発生が止まらない場合、ビデオカメラで視認して火災が継続している場合においては、電池１９の異常が継続していると判断し（ステップＳ４）、搬送ローダー１７が該当電池１９を取り出し、水没槽３０まで搬送し、水没槽３０に沈める（ステップＳ５）二次消火を行う。この場合、電池１９は廃棄処分となる（ステップＳ６）。
【００２０】
本発明は前記した実施の形態に限定されるものではなく、本発明の要旨を変更しない限り、その他の装置又は方法を用いることができる。
また、前記実施の形態においては、電池１９の火災の検知には熱電対２１又は煙センサー２２を用いたが、その他のセンサー（例えば、光温度計）、赤外線センサー等を使用することもできる。
【符号の説明】
【００２１】
１０：消火装置の付設した電池充放電設備、１１、１２：レール、１３：スタッカークレーン、１４、１５：試験棚群、１６：試験棚、１７：搬送ローダー、１８：パレット、１９：電池、２１：熱電対、２２：煙センサー、２３、２４：ガス供給源、２５、２６：噴出ノズル、２７、２８：ホース、３０：水没槽
【図１】
0005595332.tif 000002
【図２】
0005595332.tif 000003